(57)【特許請求の範囲】
【請求項１】
計器類を収納する計器ケースと、この計器ケースの前面開放側を覆うカバープレートと、このカバープレートの前面側の周縁部分を覆うバイザーとからなる計器装置において、前記計器ケースの周面部分の適所には係止部を設け、この係止部と係合保持するための弾性変形可能な係合片を前記バイザーに設け、前記計器ケースと前記計器バイザーとの間に配置された前記カバープレートの周面部分には、前記係止部位置と隣接した箇所に案内ガイド部を設けてなることを特徴とする計器装置における組み付け構造。
【請求項２】
前記案内ガイド部は、前記計器ケースの周面部分に倣って傾斜する突設部によって形成してなることを特徴とする請求項１に記載の計器装置における組み付け構造。
【発明の詳細な説明】
【技術分野】
【０００１】
本発明は、たとえば自動車などに搭載される計器類を収納する計器装置において、その計器装置における組み付け構造に関するものである。
【背景技術】
【０００２】
従来、自動車やオートバイなどに装備される計器装置として、たとえば速度計，回転計，温度計などの計器類や各種装置の状態を運転者に知らせるための警報装置などが合成樹脂製の計器ケース内に収納されている。この場合、前記計器類や警報装置などを収納する計器ケースの前面開放側に前記計器類などの上面側から塵埃などが入らないように合成樹脂材料からなる透視可能なカバープレートによって覆って構成している。また計器ケースのカバープレートの周縁部分には、計器ケースの周面部分を覆って目隠ししたり、見栄えを良好にするためのバイザー（クラスター）が設けられている。この場合、計器装置の計器ケースとカバープレート側とバイザー側との組み付け構造としては、ビスなどの固定部材を介して固定保持している。
【特許文献１】実開昭６３−１７０７１３号公報
【特許文献２】実開昭６３−７３１５号公報
【発明の開示】
【発明が解決しようとする課題】
【０００３】
ところで、上述した特許文献１や特許文献２などの計器装置においては、計器装置の計器ケースとカバープレート側とバイザー側との組み付け構造としてビスなどの別部品からなる固定部材にて締め付け固定しなければならず、コスト高となるとともに組み付け作業に手間がかかるという問題がある。
【０００４】
この点を考慮するものとして、別部品を設けることなく一方の計器ケース側に係合突起を設け、他方のカバープレートやバイザーなどに弾性変形可能な係合片を設け、その係合片を係合突起に係合して抜け止め保持するようにした組み付け構造が提案されている。
【０００５】
しかしながら、前述した係合突起と係合片からなる組み付け構造においては、係合片が相手側である部材に突き当たってしまい、組み付け作業性が良好に行うことができなかったり、場合によっては係合片が折損してしまうことがある。
【０００６】
そこで本発明は、前述の課題に対して対処するため、計器装置の計器ケース、カバープレート、バイザーとの組み付け作業性を良好にし、安定した計器装置の組み付けを行うことができる計器装置における組み付け構造を提供することを目的とする。
【課題を解決するための手段】
【０００７】
本発明は、前述した課題を解決するため、請求項では、計器類を収納する計器ケースと、この計器ケースの前面開放側を覆うカバープレートと、このカバープレートの前面側の周縁部分を覆うバイザーとからなる計器装置において、前記計器ケースの周面部分の適所には係止部を設け、この係止部と係合保持するための弾性変形可能な係合片を前記バイザーに設け、前記計器ケースと前記計器バイザーとの間に配置された前記カバープレートの周面部分には、前記係止部位置と隣接した箇所に案内ガイド部を設けてなることを特徴とする計器装置における組み付け構造である。
【０００８】
また請求項２では、請求項１に記載の計器装置における組み付け構造において、前記案内ガイド部は、前記計器ケースの周面部分に倣って傾斜する突設部によって形成してなることを特徴とするものである。
【０００９】
（削除）
【００１０】
（削除）
【発明の効果】
【００１１】
本発明では、計器類を収納する計器ケースと、この計器ケースの前面開放側を覆うカバープレートと、このカバープレートの前面側の周縁部分を覆うバイザーとからなる計器装置において、前記計器ケースの周面部分の適所には係止部を設け、この係止部と係合保持するための弾性変形可能な係合片を前記バイザーに設け、前記計器ケースと前記計器バイザーとの間に配置された前記カバープレートの周面部分には、前記係止部位置と隣接した箇所に案内ガイド部を設けてなることを特徴とする計器装置における組み付け構造であるため、バイザーを計器ケース側に組み付け固定するに際し、そのバイザーに設けた係合片が計器ケースの前面側に配置されたカバープレートの周面部分に設けた案内ガイド部に沿って乗り上げながら計器ケース側へと移行し、計器ケースの周面部分に設けた係止部に前記バイザーに設けた係合片が嵌合して計器ケース側とバイザー側とが良好に固定保持されるものであり、これにより所期の目的を達成することができる。
【発明を実施するための最良の形態】
【００１２】
本発明の請求項１では、計器類を収納する計器ケースと、この計器ケースの前面開放側を覆うカバープレートと、このカバープレートの前面側の周縁部分を覆うバイザーとからなる計器装置において、前記計器ケースの周面部分の適所には係止部を設け、この係止部と係合保持するための弾性変形可能な係合片を前記バイザーに設け、前記計器ケースと前記計器バイザーとの間に配置された前記カバープレートの周面部分には前記係止部位置と隣接した箇所に案内ガイド部を設けてなることを特徴とする計器装置における組み付け構造であるため、バイザーを計器ケース側に組み付け固定するに際し、そのバイザーに設けた係合片が計器ケースの前面側に配置されたカバープレートの周面部分に設けた案内ガイド部に沿って乗り上げながら計器ケース側へと移行し、計器ケースの周面部分に設けた係止部に前記バイザーに設けた係合片が嵌合して計器ケース側とバイザー側とが良好に固定保持されるものであり、係合片を傷めてしまうという問題も未然に解決できるとともに組み付け作業性をも良好とし得るものである。
【００１３】
また、請求項１に記載の計器装置における組み付け構造において、前記案内ガイド部は、前記計器ケースの周面部分に倣って傾斜する突設部によって形成してなることにより、バイザーに設けた係合片がカバープレートの周面部分に設けた案内ガイド部に沿って乗り上げながら計器ケース側へと移行するに際し、計器ケースの周面部分に倣って傾斜する突設部に沿って円滑に係合片が乗り上げて移行することができるため、組み付け作業性を良好に行うことができる。（請求項２）
【００１４】
（削除）
【００１５】
（削除）
【００１６】
以下、添付図面に基づいて、本発明の計器装置を車輌用の指示計器に適用した実施例として説明する。
【実施例１】
【００１７】
本発明の第１実施例を図１から図４に示す。この種の計器装置として、中央に速度計からなる指示計器と、右側に回転計からなる指示計器と、左側に燃料計や温度計からなる指示計器と、走行距離表示器やギヤポジション表示器や各種検出表示器などが配置され、それぞれが計器ケース１内に収容されている。
【００１８】
この場合、図１の中央に位置した速度計からなる指示計器にあっては、図２に示すように、計器ケース１内に指示計器の計器本体２が収納されており、この計器本体２に設けられた指針軸３の先端側に、指針軸３を軸芯として回転する指針４が圧入固定されている。この実施例における指針構造としては、透明な合成樹脂たとえばアクリル樹脂にて形成された発光指針４を用いている。
【００１９】
また前記指針４の背後側には、目盛や数字や記号などからなる指標部が施された表示板５が配設されている。また前記表示板５の背面側に位置して硬質の回路基板６が設けられ、この回路基板６と前記表示板５との間に合成樹脂製からなる計器ケース１の一部を形成するライトケース７が配設されている。また前記回路基板６上には、前記ライトケース７内に臨んで前記表示板５の目盛部と数字などを透過照明するための光源（発光ダイオード８）と、前記指針４を発光照明するための指針用光源（発光ダイオード９）とが実装されている。なお、前記回路基板６の背後側には前記指針軸３を回動する前記計器本体２が取付固定されている。
【００２０】
また、前記表示板５の前面側には表示板５の周りと計器ケース１との隙間部分を目隠ししする見返し部材１０が配設され、この見返し部材１０の前面開放側には前記指示計器類などの上面側から塵埃などが入らないように合成樹脂材料からなる透視可能なカバープレート１１によって覆って構成している。
【００２１】
またカバープレート１１の外郭周縁部分には、計器ケース１の前面側の周面部分を覆って目隠ししたり、見栄えも良好となるようにアウターバイザー１２が設けられ、そのアウターバイザーの後方には、計器ケース１および回路基板６を覆うリアカバー１３が設けられている。
【００２２】
また、第１実施例による計器装置における組み付け構造としては、計器ケース１の側周面部分の適所には計器ケース１の奥行き方向に沿って傾斜し最深部箇所に抜け止め爪部による係止部１４を設け、この係止用爪部１４と係合保持するための弾性変形可能な平板状の係合片１５を前記アウターバイザー１２の内面側から一体に突き出し形成して基本的な係合機構を構成している。この場合、前記係合片１５には係止用爪部１４と係合し抜け止め支持可能な係止孔１５Ａが設けられている。
【００２３】
また、前記カバープレート１１の周面部分には前記係止用爪部１４位置と隣接した箇所であり、計器ケース１の前端部と対向するようにして前記計器ケース１の周面部分に倣って傾斜する突設部からなる案内ガイド部１６が一体に設けられている。この場合、アウターバイザー１２に設けた係合片１５がカバープレート１１の周面部分に設けた案内ガイド部１６に沿って乗り上げながら計器ケース１側へと移行するに際し、計器ケース１の周面部分に倣って傾斜する突設部からなる案内ガイド部１６に沿って先端部分が引っ掛かることなく円滑に係合片１５が乗り上げて移行することができるため、組み付け作業が良好に行われる。
【００２４】
この第１実施例では、計器ケース１に設けられた係止用爪部１４の両側に位置して、アウターバイザー１２に設けた係合片１５を計器ケース１側の係止用爪部１４に組み付け保持する際の位置合わせ（誘い込み）となるガイド壁１７が設けられており、そのガイド壁１７に沿ってアウターバイザー１２に設けた係合片１５を案内しながら組み付けることができるように構成している。
【００２５】
また、前記係止用爪部１４の両側に設けたガイド壁１７の先端部分に、アウターバイザー１２と所定の位置にて突き当て配置するための当接部１７Ａを設けたことにより、アウターバイザー１２と計器ケース１側とを組み付けた後に計器ケース１側に設けたガイド壁先端部分の当接部１７Ａによってアウターバイザー１２を所定位置に組み付け保持することができるように構成している。この際、ガイド壁先端部分の当接部１７Ａと突き当て配置されるアウターバイザー１２側としては、平板状からなる係合片１５の幅寸法を係止孔１５Ａより基部側にて幅広に形成した肩部（受け部）１５Ｂにて前記ガイド壁先端部分の当接部１７Ａと当接するように構成している。
【００２６】
なお、第１実施例にあっては、図４に示すように、カバープレート１１の周縁部分に弾性係合爪１１Ａを一体に設け、この弾性係合爪１１Ａ位置に対応して計器ケース１側には係止用受け部（窓孔）１Ａを設けて嵌合固定することにより、カバープレート１１と計器ケース１とを強固に組み付け保持することができるように構成している。また、回路基板６は、計器ケース１に設けた弾性係合爪１Ｂと係合固定するために係止用孔部６Ａを形成している。
【００２７】
上記構成からなる第１実施例における計器装置においては、計器装置の計器ケース１とカバープレート１１側とアウターバイザー１２側との組み付け構造として、特にカバープレート１１の前面側にアウターバイザー１２を固定保持する際、アウターバイザー１２に設けた係合片１５がカバープレート１１の周面部分に設けた案内ガイド部１６に沿って乗り上げながら計器ケース１側へと移行することができるため、計器ケース１の周面部分に設けた係止用爪部１４に前記バイザー１２に設けた係合片１５が嵌合して計器ケース１側とバイザー１２側とを良好に固定保持することができるものであり、係合片１５を傷めてしまうという問題も未然に解決できるとともに組み付け作業性をも良好に行うことができるという効果がある。
【００２８】
また、計器ケース１の周面部分に設けた係止用爪部１４の両側に、バイザー１２に設けた係合片１５を計器ケース１側の係止用爪部１４に組み付け保持する際の位置合わせとなるガイド壁１７を設けてなることにより、そのガイド壁１７に沿ってバイザー１２に設けた係合片１５を案内しながら組み付けることができるため、さらに組み付け作業性を良好に行うことができるものであり、またガイド壁１７の先端部分に、バイザー１２と所定の位置にて突き当て配置するための当接部１７Ａを設けたことにより、バイザー１２側、この実施例にあってはアウターバイザー１２側に設けられた平板状からなる係合片１５の幅寸法を係止孔１５Ａより基部側にて幅広に形成した肩部（受け部）１５Ｂにてガイド壁先端部分の当接部１７Ａと当接するように構成することにより計器ケース１側に設けたガイド壁先端部分の当接部１７Ａによってバイザー１２を所定位置に組み付け保持することができる。なお、ガイド壁１７は、係止用爪部１４の両側に設けたが、片側に設けてあれば同様な効果を有するものである。
【００２９】
なお本発明は、前述した実施例に限定されるものではなく本発明の要旨の範囲内において種々の変形実施が可能である。たとえば、実施例においては、係止部として係止用爪部１４を突き出し形成して構成し、この係止用爪部１４と係合するように平板状からなる係合片１５には係止用爪部１４と係合し抜け止め支持可能な係止孔１５Ａを設けて構成していたが、係止部として段差からなる係止用段差部を設け、この係止用段差部と係合する係合爪を有する係合片を設けて係合保持する構造であっても良いものであり、また、係止部１４と係合片１５の配設位置や個数などは計器装置の形状や大きさなどに合わせて配置すれば良いものである。
【産業上の利用可能性】
【００３０】
また、前述した実施例などにおいて詳述したように、車両用の指示計器を例にして計器装置を説明したが、車両用計器に限らず船舶用計器あるいは農業機械の計器などにおいても適用することが可能である。
【図面の簡単な説明】
【００３１】
【図１】図１は、本発明の第１実施例における計器装置を示す正面図である。
【図２】図２は、図１のＡ−Ａ線箇所を示す断面図である。
【図３】図３は、図２の計器装置の要部を示す拡大分解斜視図である。
【図４】図４は、図１のＢ−Ｂ線箇所を示す断面図である。
【符号の説明】
【００３２】
１      計器ケース
１Ａ    係止用受け部（窓孔）
１Ｂ    弾性係合爪
２      計器本体
３      指針軸
４      指針
５      表示板
６      回路基板
６Ａ    係止用孔部
７      ライトケース
８      光源（発光ダイオード）
９      指針用光源（発光ダイオード）
１０      見返し部材
１１      カバープレート
１１Ａ    弾性係合爪
１２      アウターバイザー
１３      リアカバー
１４      係止部（係止用爪部）
１５      係合片
１５Ａ    係止孔
１５Ｂ    肩部（受け部）
１６      案内ガイド部
１７      ガイド壁
１７Ａ    当接部
【図１】
0004844810.tif 000002
【図２】
0004844810.tif 000003
【図３】
0004844810.tif 000004
【図４】
0004844810.tif 000005